(57)【要約】【課題】３ＧＰＰ Ｒｅｌｅａｓｅ １０の導入に際して、無線受信装置におけるチャネル推定の精度を向上させる。【解決手段】チャネル推定回路(２０)を構成する補間手段(２１)は、時間多重された複数のサブフレーム各々のチャネル推定値を、各サブフレームに含まれるリファレンスシグナルを用いて算出すると共に、各チャネル推定値を、各サブフレームに隣接するサブフレームのチャネル推定値を用いて補間する。制御手段は(２２)は、複数のサブフレームの内、ユニキャストデータ又はマルチキャストデータが受信される第１のサブフレームにおけるデータのスケジュール状況に応じて、補間手段(２１)に、前記第１のサブフレームに後続し且つユニキャストデータが受信される第２のサブフレームについての補間を行わせるか否かを制御する。【選択図】図１
2013070327.tif 000002
【特許請求の範囲】
【請求項１】
時間多重された複数のサブフレームの内の第１のサブフレームにおいてユニキャストデータ又はマルチキャストデータを受信し、前記第１のサブフレームに後続する第２のサブフレームにおいてユニキャストデータを受信する無線受信装置に用いられるチャネル推定回路であって、
各サブフレームのチャネル推定値を、各サブフレームに含まれるリファレンスシグナルを用いて算出すると共に、各チャネル推定値を、各サブフレームに隣接するサブフレームのチャネル推定値を用いて補間する補間手段と、
前記第１のサブフレームにおけるデータのスケジュール状況に応じて、前記補間手段に前記第２のサブフレームについての補間を行わせるか否かを制御する制御手段と、
を備えたチャネル推定回路。
【請求項２】
請求項１において、
前記制御手段は、前記第１のサブフレームに前記無線受信装置宛てのユニキャストデータがスケジュールされている場合、前記補間手段に前記第２のサブフレームについての補間を行わせると決定する、
ことを特徴としたチャネル推定回路。
【請求項３】
請求項１又は２において、
前記制御手段は、
前記第１のサブフレームに前記無線受信装置宛てのユニキャストデータがスケジュールされていない場合、前記第１のサブフレームのチャネル推定値と、ユニキャストデータがスケジュールされるサブフレームについて得られた既知のチャネル推定値との相関値を求めると共に、前記相関値が予め定めた閾値以上であるか否かを判定し、
前記相関値が前記閾値以上であると判定した場合、前記補間手段に前記第２のサブフレームについての補間を行わせると決定する、
ことを特徴としたチャネル推定回路。
【請求項４】
請求項３において、
前記制御手段は、前記相関値が前記閾値未満であると判定した場合、前記補間手段に前記第２のサブフレームについての補間を行わせないと決定する、
ことを特徴としたチャネル推定回路。
【請求項５】
請求項１〜４のいずれか一項において、
前記制御手段は、
前記第１のサブフレームにマルチキャストデータがスケジュールされている場合、前記補間手段に前記第２のサブフレームについての補間を行わせないと決定する、
ことを特徴としたチャネル推定回路。
【請求項６】
請求項１〜５のいずれか一項において、
前記制御手段は、前記複数のサブフレーム中における前記第１のサブフレームの配置位置が未知である場合、各サブフレームにおけるデータのスケジュール状況に応じて、前記補間手段に各サブフレームに後続するサブフレームについての補間を行わせるか否かを制御する、
ことを特徴としたチャネル推定回路。
【請求項７】
請求項１〜６のいずれか一項に記載のチャネル推定回路と、
受信した無線信号に対し復調処理を施して、各サブフレームを得る復調回路と、
前記チャネル推定回路で得られた各サブフレームのチャネル推定値を用いて、各サブフレームに含まれるシンボル系列に対しチャネル等化処理及び復号処理を施す復号回路と、
を備えた無線受信装置。
【請求項８】
時間多重された複数のサブフレームの内の第１のサブフレームにおいてユニキャストデータ又はマルチキャストデータを受信し、前記第１のサブフレームに後続する第２のサブフレームにおいてユニキャストデータを受信する無線受信装置に用いるチャネル推定方法であって、
各サブフレームのチャネル推定値を、各サブフレームに含まれるリファレンスシグナルを用いて算出すると共に、各チャネル推定値を、各サブフレームに隣接するサブフレームのチャネル推定値を用いて補間し、
前記第２のサブフレームについての補間を行うか否かを、前記第１のサブフレームにおけるデータのスケジュール状況に応じて決定する、
ことを含むチャネル推定方法。
【請求項９】
請求項８において、
前記第１のサブフレームに前記無線受信装置宛てのユニキャストデータがスケジュールされている場合、前記補間手段に前記第２のサブフレームについての補間を行うと決定する、
ことを特徴としたチャネル推定方法。
【請求項１０】
請求項８又は９において、
前記第１のサブフレームに前記無線受信装置宛てのユニキャストデータがスケジュールされていない場合、前記第１のサブフレームのチャネル推定値と、ユニキャストデータがスケジュールされるサブフレームについて得られた既知のチャネル推定値との相関値を求め、
前記相関値が予め定めた閾値以上であるか否かを判定し、
前記相関値が前記閾値以上であると判定した場合、前記第２のサブフレームについての補間を行うと決定する、
ことを特徴としたチャネル推定方法。
【発明の詳細な説明】
【技術分野】
【０００１】
本発明は、チャネル推定回路、並びに無線受信装置及びこれに用いるチャネル推定方法に関し、特に無線フレームを形成するサブフレーム間でチャネル推定値を補間する技術に関する。
【背景技術】
【０００２】
３ＧＰＰ(３ｒｄ Ｇｅｎｅｒａｔｉｏｎ Ｐａｒｔｎｅｒｓｈｉｐ Ｐｒｏｊｅｃｔ) Ｒｅｌｅａｓｅ ９では、無線フレームを形成する複数のサブフレームの一部をマルチキャスト伝送に間欠的に使用し、残りのサブフレームをユニキャスト伝送に使用することが仕様化されている。
【０００３】
具体的には、図７に示すように、Ｒｅｌｅａｓｅ ９では、時間多重された複数(図示の例では１０個)のサブフレームによって形成される無線フレームが繰り返し伝送される。また、Ｒｅｌｅａｓｅ ９では、ＭＢＳＦＮ(ＭＢＭＳ Ｓｉｎｇｌｅ Ｆｒｅｑｕｅｎｃｙ Ｎｅｔｗｏｒｋ)方式が採用されている。図７に示す例では、各無線フレーム中の第２及び第４のサブフレームが、ＭＢＭＳ(Ｍｕｌｔｉｍｅｄｉａ Ｂｒｏａｄｃａｓｔ Ｍｕｌｔｉｃａｓｔ Ｓｅｒｖｉｃｅｓ)データを伝送する用途に半固定的に割り当てられている。残りの第１、第３及び第５〜第１０のサブフレームは、ユニキャストデータを伝送する用途に割り当てられる。なお、以降の説明においては、ＭＢＭＳデータが伝送されるサブフレームを"ＭＢＳＦＮサブフレーム"と呼称する一方、ユニキャストデータが伝送されるサブフレームを"ユニキャストサブフレーム"と呼称し、以て両者を区別することがある。
【０００４】
ここで、ＭＢＳＦＮサブフレームにおいては、ＭＢＭＳデータが伝送されないことがある。下りリンクの伝送方式としてＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)を採用するＬＴＥ(Ｌｏｎｇ Ｔｅｒｍ Ｅｖｏｌｕｔｉｏｎ)を例に取ると、ＭＢＭＳデータが伝送されない場合、ＭＢＳＦＮサブフレームにおいては、先頭の２ＯＦＤＭシンボルにＰＤＣＣＨ(Ｐｈｙｓｉｃａｌ Ｄｏｗｎｌｉｎｋ Ｃｏｎｔｒｏｌ Ｃｈａｎｎｅｌ)が多重されて制御情報が伝送される以外、何らデータが伝送されない。
【０００５】
一般に、上記の無線フレームを受信する無線受信装置は、無線伝送路で受ける様々な歪みを補正するため、データの復号に際してチャネル推定を行う。具体的には、無線受信装置は、データと多重されているリファレンスシグナルを用いて、各サブフレームのチャネル推定値を求める。また、無線受信装置は、各チャネル推定値と前後のサブフレームのチャネル推定値とを時間的に補完し、以てチャネル推定の精度を向上させる。
【０００６】
但し、無線受信装置は、ユニキャストサブフレームについてのチャネル推定と、ＭＢＳＦＮサブフレームについてのチャネル推定とを独立して行い、ユニキャストサブフレームとＭＢＳＦＮサブフレームの間ではチャネル推定値を補完しないように設計されている。これは、ユニキャストデータ及びＭＢＭＳデータが基地局の互いに異なるポートから送信されるためや、ＭＢＭＳデータが複数の基地局から送信され且つ無線伝送路上で合成されている可能性があるためである。
【０００７】
ところで、３ＧＰＰ Ｒｅｌｅａｓｅ １０では、非特許文献１に記載される通り、ＭＢＳＦＮサブフレームにおいてＭＢＭＳデータを伝送しない場合に、ＭＢＳＦＮサブフレームをユニキャストデータの伝送に使用可能にすることが合意された。
【０００８】
具体的には、図８に示すように、Ｒｅｌｅａｓｅ １０では、ＭＢＳＦＮサブフレームが、ＭＢＭＳデータの伝送又はユニキャストデータの伝送に兼用される。
【先行技術文献】
【非特許文献】
【０００９】
【非特許文献１】３ＧＰＰ ＴＳ ３６．２１１、"Ｅｖｏｌｖｅｄ Ｕｎｉｖｅｒｓａｌ Ｔｅｒｒｅｓｔｒｉａｌ Ｒａｄｉｏ Ａｃｃｅｓｓ (Ｅ−ＵＴＲＡ)； Ｐｈｙｓｉｃａｌ Ｃｈａｎｎｅｌｓ ａｎｄ Ｍｏｄｕｌａｔｉｏｎ (Ｒｅｌｅａｓｅ １０)"、Ｖ１０．１．０、２０１１−０３、ｓｅｃｔｉｏｎ ６．４、ｐ.６５
【発明の概要】
【発明が解決しようとする課題】
【００１０】
本願発明者は、Ｒｅｌｅａｓｅ １０の導入に伴って、無線受信装置におけるチャネル推定の精度が劣化してしまうという課題があることを発見した。具体的には、ＭＢＳＦＮサブフレームにユニキャストデータが伝送される場合、ＭＢＳＦＮサブフレームと後続のユニキャストサブフレームとの間でチャネル推定値の補完処理を行うことが望ましい。しかしながら、一般的な無線受信装置は、上述した通り、ユニキャストサブフレームとＭＢＳＦＮサブフレームの間ではチャネル推定値の補完処理を何ら実行しない。このため、ＭＢＳＦＮサブフレームに後続するユニキャストサブフレームにおいては、ユニキャストデータが、補間されていない精度の低いチャネル推定値を用いて復号されてしまう。
【００１１】
従って、本発明は、３ＧＰＰ Ｒｅｌｅａｓｅ １０の導入に際して、無線受信装置におけるチャネル推定の精度を向上させることを目的とする。
【課題を解決するための手段】
【００１２】
上記の目的を達成するため、本発明の第１の態様に係るチャネル推定回路は、時間多重された複数のサブフレームの内の第１のサブフレームにおいてユニキャストデータ又はマルチキャストデータを受信し、前記第１のサブフレームに後続する第２のサブフレームにおいてユニキャストデータを受信する無線受信装置に用いられる。このチャネル推定回路は、各サブフレームのチャネル推定値を、各サブフレームに含まれるリファレンスシグナルを用いて算出すると共に、各チャネル推定値を、各サブフレームに隣接するサブフレームのチャネル推定値を用いて補間する補間手段と、前記第１のサブフレームにおけるデータのスケジュール状況に応じて、前記補間手段に前記第２のサブフレームについての補間を行わせるか否かを制御する制御手段とを備える。
【００１３】
また、本発明の第２の態様に係る無線受信装置は、前記チャネル推定回路と、受信した無線信号に対し復調処理を施して、各サブフレームを得る復調回路と、前記チャネル推定回路で得られた各サブフレームのチャネル推定値を用いて、各サブフレームに含まれるシンボル系列に対しチャネル等化処理及び復号処理を施す復号回路とを備える。
【００１４】
さらに、本発明の第３の態様に係るチャネル推定方法は、時間多重された複数のサブフレームの内の第１のサブフレームにおいてユニキャストデータ又はマルチキャストデータを受信し、前記第１のサブフレームに後続する第２のサブフレームにおいてユニキャストデータを受信する無線受信装置に用いるチャネル推定方法を提供する。このチャネル推定方法は、各サブフレームのチャネル推定値を、各サブフレームに含まれるリファレンスシグナルを用いて算出すると共に、各チャネル推定値を、各サブフレームに隣接するサブフレームのチャネル推定値を用いて補間し、前記第２のサブフレームについての補間を行うか否かを、前記第１のサブフレームにおけるデータのスケジュール状況に応じて決定することを含む。
【発明の効果】
【００１５】
本発明によれば、３ＧＰＰ Ｒｅｌｅａｓｅ １０の導入に際して、無線受信装置におけるチャネル推定の精度を向上させることが可能である。
【図面の簡単な説明】
【００１６】
【図１】本発明の実施の形態に係るチャネル推定回路及び無線受信装置の構成例を示したブロック図である。
【図２】本発明の実施の形態に係るチャネル推定回路の動作例を示したフローチャート図である。
【図３】ＭＢＳＦＮサブフレームにＭＢＭＳデータが伝送される場合における、リファレンスシグナルの配置例を示した図である。
【図４】ＭＢＳＦＮサブフレームにユニキャストデータが伝送される場合における、リファレンスシグナルの配置例を示した図である。
【図５】ＭＢＳＦＮサブフレームにＭＢＭＳデータが伝送される場合における、チャネル推定値の補間概念を示した図である。
【図６】ＭＢＳＦＮサブフレームにユニキャストデータが伝送される場合における、チャネル推定値の補間概念を示した図である。
【図７】３ＧＰＰ Ｒｅｌｅａｓｅ ９におけるデータ伝送の仕様を示した図である。
【図８】３ＧＰＰ Ｒｅｌｅａｓｅ １０におけるデータ伝送の仕様を示した図である。
【発明を実施するための形態】
【００１７】
以下、本発明に係るチャネル推定回路及びこれを適用する無線受信装置の実施の形態を、図１〜図６を参照して説明する。なお、各図面において、同一要素には同一の符号が付されており、説明の明確化のため、必要に応じて重複説明は省略される。
【００１８】
なお、本実施の形態においては、一例として、チャネル推定回路及び無線受信装置を下りリンクの伝送方式としてＯＦＤＭを採用する無線通信システムに適用する場合を扱う。但し、本実施の形態に係るチャネル推定回路及び無線受信装置を適用する無線通信システムは、３ＧＰＰ Ｒｅｌｅａｓｅ １０に準拠していれば良く、その伝送方式はＯＦＤＭに限定されない。
【００１９】
図１に示すように、本実施の形態に係る無線受信装置１は、復調回路１０と、チャネル推定回路２０と、復号回路３０とを含む。
【００２０】
この内、復調回路１０は、大略、アンテナを介して受信した無線信号に対し復調処理を施して、時間多重された複数のサブフレームを順次得る。具体的には、復調回路１０は、ＯＦＤＭを採用する一般的な無線受信装置の復調回路と同様、無線受信部１１と、ＧＩ(Ｇｕａｒｄ Ｉｎｔｅｒｖａｌ)除去部１２と、ＦＦＴ(Ｆａｓｔ Ｆｏｕｒｉｅｒ Ｔｒａｎｓｆｏｒｍ)部１３と、"ｎ"個(ｎは総サブキャリア数)の検波器１４＿１〜１４＿ｎと、Ｐ／Ｓ(Ｐａｒａｌｌｅｌ ｔｏ Ｓｅｒｉａｌ)変換部１５とを含む。無線受信部１１は、無線信号に対しダウンコンバートやＡ／Ｄ(Ａｎａｌｏｇ ｔｏ Ｄｉｇｉｔａｌ)変換等の受信処理を施し、これにより得たＯＦＤＭ信号をＧＩ除去部１２へ出力する。ＧＩ除去部１２は、ＯＦＤＭ信号に付加されたＧＩを除去して、ＦＦＴ部１３へ出力する。ＦＦＴ部１３は、ＧＩ除去部１２からの出力信号に対してＦＦＴを施し、これにより得たサブキャリア信号を検波器１４＿１〜１４＿ｎへ並列に出力する。検波器１４＿１〜１４＿ｎの各々は、各サブキャリア信号に対する検波を行い、これにより得たＯＦＤＭシンボルをＰ／Ｓ変換部１５へ出力する。Ｐ／Ｓ変換部１５は、検波器１４＿１〜１４＿ｎから並列に入力されるＯＦＤＭシンボルを直列に変換して、チャネル推定回路２０及び復号回路３０へ出力する。
【００２１】
また、本実施の形態に係るチャネル推定回路２０は、チャネル推定値算出／補間部２１と、制御部２２とを含む。チャネル推定値算出／補間部２１は、各サブフレームのチャネル推定値を、各サブフレームに含まれるリファレンスシグナルを用いて算出する。また、チャネル推定値算出／補間部２１は、各チャネル推定値を、各サブフレームに隣接するサブフレームのチャネル推定値を用いて補間する。一方、制御部２２は、チャネル推定値算出／補間部２１と並列に動作する。制御部２２は、ＭＢＳＦＮサブフレームにおけるデータのスケジュール状況に応じて、チャネル推定値算出／補間部２１に、ＭＢＳＦＮサブフレームに後続するユニキャストフレームについての時間方向の補間を行わせるか否かを制御する。
【００２２】
さらに、復号回路３０は、大略、チャネル推定回路２０で得られた各サブフレームのチャネル推定値を用いて、各サブフレームに含まれるデータシンボルに対しチャネル等化処理及び復号処理を施す。具体的には、復号回路３０は、ＯＦＤＭを採用する一般的な無線受信装置の復調回路と同様、チャネル等化部３１と、復号部３２とを含む。チャネル等化部３１は、チャネル推定値算出／補間部２１から出力されるチャネル推定値を用いて、データシンボルからチャネル歪みを除去する。復号部３２は、チャネル等化部３１からの出力信号に対して、位相回転量の補正や誤り訂正等を含む復号処理を施す。復号部３２により復号された信号は、後段回路(図示せず)での各種処理に供される。
【００２３】
次に、チャネル推定回路２０の動作例を、図２〜図６を参照して詳細に説明する。なお、復調回路１０及び復号回路３０の動作はＯＦＤＭを採用する一般的な無線受信装置と同様であるため、その説明を省略する。
【００２４】
チャネル推定回路２０は、サブフレーム毎に図２に示す処理を実行する。具体的には、チャネル推定回路２０内の制御部２２が、復調回路１０でサブフレームが得られる度毎に、無線フレーム中におけるＭＢＳＦＮサブフレームの配置位置が未知であるか否かを判定する(ステップＳ１)。ここで、ＭＢＳＦＮサブフレームの配置位置は、基地局からＰＢＣＨ(Ｐｈｙｓｉｃａｌ Ｂｒｏａｄｃａｓｔ Ｃｈａｎｎｅｌ)を介して報知される。
【００２５】
ＭＢＳＦＮサブフレームの配置位置が既知である場合、制御部２２は、ＭＢＳＦＮサブフレームのみを対象として、以降のステップＳ２〜Ｓ６の処理を実行する。
【００２６】
まず制御部２２は、ＭＢＳＦＮサブフレームにＭＢＦＳデータがスケジュールされているか否かを判定する(ステップＳ２)。ここで、制御部２２は、ＭＢＦＳデータの伝送有無を、ＰＭＣＨ(Ｐｈｙｓｉｃａｌ Ｍｕｌｔｉｃａｓｔ Ｃｈａｎｎｅｌ)を介して予め受信したスケジュール情報を参照することによって確認する。
【００２７】
この結果、ＭＢＦＳデータがスケジュールされている場合、制御部２２は、チャネル推定値算出／補間部２１に対して、後続のユニキャストサブフレームについてチャネル推定値の補間を行わないよう指示する(ステップＳ３)。なお、これと並行して、チャネル推定値算出／補間部２１は、ＭＢＳＦＮサブフレームのチャネル推定値を算出する。
【００２８】
ここで、後続のユニキャストサブフレームについてチャネル推定値の補間を行わない理由を、図３〜図５を参照して説明する。
【００２９】
図３に、ＭＢＳＦＮサブフレームにＭＢＭＳデータが伝送される場合における、リファレンスシグナルの配置例を示す。図３に示すように、ＭＢＳＦＮサブフレーム中の先頭の２ＯＦＤＭシンボル(第１及び第２のＯＦＤＭシンボル)にＰＤＣＣＨが多重されて制御情報が伝送され、以降の第３〜第１２のＯＦＤＭシンボルでＭＢＭＳデータが伝送される。第１のＯＦＤＭシンボルには、６サブキャリアおきに、ユニキャスト用のリファレンスシグナルがマッピングされる。また、第３、第７及び第１１のＯＦＤＭシンボルには、２サブキャリアおきに、ＭＢＳＦＮ用のリファレンスシグナルがマッピングされる。なお、第１〜第６のＯＦＤＭシンボルは第１のスロットと呼称され、第６〜第１２のＯＦＤＭシンボルは第２のスロットと呼称される。また、リファレンスシグナルを配置する位置及び数は、チャネル推定精度とオーバヘッドの両観点から決定される。
【００３０】
なお、チャネル推定値算出／補間部２１は、第１及び第２のＯＦＤＭシンボルの各リソースのチャネル推定値を、ユニキャスト用のリファレンスシグナルにその共役を乗じて得たＺＦ(Ｚｅｒｏ Ｆｏｒｃｉｎｇ)値を用いた補間等によって算出する。また、チャネル推定値算出／補間部２１は、第３〜第１２のＯＦＤＭシンボルの各リソースのチャネル推定値を、ＭＢＳＦＮ用のリファレンスシグナルにその共役を乗じて得たＺＦ値を用いた補間等によって算出する。
【００３１】
また、図４に、ＭＢＳＦＮサブフレームにユニキャストデータが伝送される場合における、リファレンスシグナルの配置例を示す。この場合のリファレンスシグナルの配置は通常のユニキャストフレームと同様であり、各スロット内の第１及び第５のＯＦＤＭシンボルに６サブキャリアおきに、ユニキャスト用のリファレンスシグナルがマッピングされる。ここで、リファレンスシグナルを配置する位置及び数は、ＭＢＳＦＮサブフレームと同様、チャネル推定精度とオーバヘッドの両観点から決定される。
【００３２】
なお、チャネル推定値算出／補間部２１は、サブフレーム中の全てのリソースのチャネル推定値を、ユニキャスト用のリファレンスシグナルにその共役を乗じて得たＺＦ値を用いた補間等によって算出する。
【００３３】
さらに、図５に、ＭＢＳＦＮサブフレームにＭＢＭＳデータが伝送される場合における、チャネル推定値の補間概念を示す。図５に示すように、ＭＢＭＳデータが伝送される場合、ＭＢＳＦＮサブフレームの第２のスロットには、ユニキャスト用のリファレンスシグナルが含まれない。このため、ＭＢＳＦＮサブフレームには、後続するユニキャストサブフレームの第１のスロット内のユニキャスト用のリファレンスシグナル(すなわち、チャネル推定値)との補間対象が存在しない。
【００３４】
従って、制御部２２は、ＭＢＳＦＮサブフレームにＭＢＭＳデータが伝送される場合、後続のユニキャストサブフレームについて時間方向の補間を行わないと決定し、以てチャネル推定精度の劣化を回避する。
【００３５】
図２に戻って、上記のステップＳ２でＭＢＳＦＮサブフレームにＭＢＦＳデータがスケジュールされていないと判定した場合、制御部２２は、無線通信装置１宛てのユニキャストデータがスケジュールされているか否かを更に判定する(ステップＳ４)。具体的には、制御部２２は、無線通信装置１宛てのＰＤＣＣＨ(より詳細には、基地局のスケジューラによるリソースの割当情報)を検出すると、ユニキャストデータがスケジュールされていると判断する。
【００３６】
この結果、ユニキャストデータがスケジュールされている場合、制御部２２は、チャネル推定値算出／補間部２１に対して、後続のユニキャストサブフレームについてチャネル推定値の補間を行うよう指示する(ステップＳ５)。
【００３７】
ここで、後続のユニキャストサブフレームについてチャネル推定値の補間を行う理由を、図６を参照して説明する。図６に示すように、ユニキャストデータが伝送される場合、ＭＢＳＦＮサブフレームの第２のスロットには、ユニキャスト用のリファレンスシグナルが含まれる。このため、ＭＢＳＦＮサブフレームには、後続するユニキャストサブフレームの第１のスロット内のユニキャスト用のリファレンスシグナル(すなわち、チャネル推定値)との補間対象が存在する。
【００３８】
従って、制御部２２は、ＭＢＳＦＮサブフレームにユニキャストデータが伝送される場合、後続のユニキャストサブフレームについて時間方向の補間を行うと決定し、以てチャネル推定精度を向上させる。
【００３９】
図２に戻って、上記のステップＳ４でＭＢＳＦＮサブフレームに無線通信装置１宛てのユニキャストデータがスケジュールされていないと判定した場合、制御部２２は、チャネル推定値算出／補間部２１によって得られたカレントサブフレームのチャネル推定値と、ユニキャストサブフレームについて得られた既知のチャネル推定値との相関値を求める。そして、制御部２２は、この相関値が所定の閾値以上であるか否かを判定する(ステップＳ６)。
【００４０】
この結果、相関値≧閾値が成立する場合、制御部２２は、ＭＢＳＦＮサブフレームに他の無線通信装置宛てのユニキャストデータがスケジュールされおり、ユニキャスト用のリファレンスシグナルが存在すると判断する。この時、制御部２２は、上記のステップＳ５に進んで、後続のユニキャストサブフレームについてチャネル推定値の補間を行うと決定し、以てチャネル推定精度を向上させる。
【００４１】
一方、上記のステップＳ６で相関値＜閾値が成立する場合、制御部２２は、ＭＢＳＦＮサブフレームにデータが何らスケジュールされていないと判断する。上述した通り、ＭＢＳＦＮサブフレームにデータが伝送されない場合、先頭の２ＯＦＤＭシンボルにＰＤＣＣＨが多重されて制御情報が伝送されるのみであり、ＭＢＳＦＮサブフレームには、後続のユニキャストサブフレームとの補間対象となるユニキャスト用のリファレンスシグナルが存在しない。従って、制御部２２は、上記のステップＳ３に進んで、後続のユニキャストサブフレームについてチャネル推定値の補間を行わないと決定し、以てチャネル推定精度の劣化を回避する。
【００４２】
なお、上述した通り、ＭＢＳＦＮサブフレームの配置位置は、ＰＢＣＨを介して報知されるが、その頻度は他の報知情報と比して低いことが予測される。このため、無線通信装置１が他の基地局へハンドオーバした直後の過渡的な期間においては、ＭＢＳＦＮサブフレームの配置位置が未知であり得る。従って、制御部２２は、上記のステップＳ１でＭＢＳＦＮサブフレームの配置位置が未知であると判定すると、ＭＢＳＦＮサブフレーム又はユニキャストフレームのいずれであるかに関わらず、各サブフレームについて上記のステップＳ３〜Ｓ６に示した処理を実行する。これにより、ハンドオーバ直後の過渡的な期間であっても、チャネル推定精度を向上させる、或いはその劣化を回避することができる。
【００４３】
なお、上記の実施の形態によって本発明は限定されるものではなく、特許請求の範囲の記載に基づき、当業者によって種々の変更が可能なことは明らかである。
【００４４】
上記の実施の形態の一部又は全部は、以下の付記のようにも記載され得るが、以下には限られない。
【００４５】
（付記１）
時間多重された複数のサブフレームの内の第１のサブフレームにおいてユニキャストデータ又はマルチキャストデータを受信し、前記第１のサブフレームに後続する第２のサブフレームにおいてユニキャストデータを受信する無線受信装置に用いられるチャネル推定回路であって、
各サブフレームのチャネル推定値を、各サブフレームに含まれるリファレンスシグナルを用いて算出すると共に、各チャネル推定値を、各サブフレームに隣接するサブフレームのチャネル推定値を用いて補間する補間手段と、
前記第１のサブフレームにおけるデータのスケジュール状況に応じて、前記補間手段に前記第２のサブフレームについての補間を行わせるか否かを制御する制御手段と、
を備えたチャネル推定回路。
【００４６】
（付記２）
付記１において、
前記制御手段は、前記第１のサブフレームに前記無線受信装置宛てのユニキャストデータがスケジュールされている場合、前記補間手段に前記第２のサブフレームについての補間を行わせると決定する、
ことを特徴としたチャネル推定回路。
【００４７】
（付記３）
付記１又は２において、
前記制御手段は、
前記第１のサブフレームに前記無線受信装置宛てのユニキャストデータがスケジュールされていない場合、前記第１のサブフレームのチャネル推定値と、ユニキャストデータがスケジュールされるサブフレームについて得られた既知のチャネル推定値との相関値を求めると共に、前記相関値が予め定めた閾値以上であるか否かを判定し、
前記相関値が前記閾値以上であると判定した場合、前記補間手段に前記第２のサブフレームについての補間を行わせると決定する、
ことを特徴としたチャネル推定回路。
【００４８】
（付記４）
付記３において、
前記制御手段は、前記相関値が前記閾値未満であると判定した場合、前記補間手段に前記第２のサブフレームについての補間を行わせないと決定する、
ことを特徴としたチャネル推定回路。
【００４９】
（付記５）
付記１〜４のいずれか一つにおいて、
前記制御手段は、
前記第１のサブフレームにマルチキャストデータがスケジュールされている場合、前記補間手段に前記第２のサブフレームについての補間を行わせないと決定する、
ことを特徴としたチャネル推定回路。
【００５０】
（付記６）
付記１〜５のいずれか一つにおいて、
前記制御手段は、前記複数のサブフレーム中における前記第１のサブフレームの配置位置が未知である場合、各サブフレームにおけるデータのスケジュール状況に応じて、前記補間手段に各サブフレームに後続するサブフレームについての補間を行わせるか否かを制御する、
ことを特徴としたチャネル推定回路。
【００５１】
（付記７）
付記１〜６のいずれか一つに記載のチャネル推定回路と、
受信した無線信号に対し復調処理を施して、各サブフレームを得る復調回路と、
前記チャネル推定回路で得られた各サブフレームのチャネル推定値を用いて、各サブフレームに含まれるシンボル系列に対しチャネル等化処理及び復号処理を施す復号回路と、
を備えた無線受信装置。
【００５２】
（付記８）
時間多重された複数のサブフレームの内の第１のサブフレームにおいてユニキャストデータ又はマルチキャストデータを受信し、前記第１のサブフレームに後続する第２のサブフレームにおいてユニキャストデータを受信する無線受信装置に用いるチャネル推定方法であって、
各サブフレームのチャネル推定値を、各サブフレームに含まれるリファレンスシグナルを用いて算出すると共に、各チャネル推定値を、各サブフレームに隣接するサブフレームのチャネル推定値を用いて補間し、
前記第２のサブフレームについての補間を行うか否かを、前記第１のサブフレームにおけるデータのスケジュール状況に応じて決定する、
ことを含むチャネル推定方法。
【００５３】
（付記９）
付記８において、
前記第１のサブフレームに前記無線受信装置宛てのユニキャストデータがスケジュールされている場合、前記補間手段に前記第２のサブフレームについての補間を行うと決定する、
ことを特徴としたチャネル推定方法。
【００５４】
（付記１０）
付記８又は９において、
前記第１のサブフレームに前記無線受信装置宛てのユニキャストデータがスケジュールされていない場合、前記第１のサブフレームのチャネル推定値と、ユニキャストデータがスケジュールされるサブフレームについて得られた既知のチャネル推定値との相関値を求め、
前記相関値が予め定めた閾値以上であるか否かを判定し、
前記相関値が前記閾値以上であると判定した場合、前記第２のサブフレームについての補間を行うと決定する、
ことを特徴としたチャネル推定方法。
【００５５】
（付記１１）
付記１０において、
前記相関値が前記閾値未満であると判定した場合、前記第２のサブフレームについての補間を行わないと決定する、
ことを特徴としたチャネル推定方法。
【００５６】
（付記１２）
付記８〜１１のいずれか一つにおいて、
前記第１のサブフレームにマルチキャストデータがスケジュールされている場合、前記第２のサブフレームについての補間を行わないと決定する、
ことを特徴としたチャネル推定方法。
【００５７】
（付記１３）
付記８〜１２のいずれか一つにおいて、
前記複数のサブフレーム中における前記第１のサブフレームの配置位置が未知である場合、各サブフレームに後続するサブフレームについての補間を行うか否かを、各サブフレームにおけるデータのスケジュール状況に応じて決定する、
ことを特徴としたチャネル推定方法。
【符号の説明】
【００５８】
１  無線受信装置
１０  復調回路
１１  無線受信部
１２  ＧＩ除去部
１３  ＦＦＴ部
１４＿１〜１４＿ｎ  検波器
１５  Ｐ／Ｓ変換部
２０  チャネル推定回路
２１  チャネル推定値算出／補間部
２２  制御部
３０  復号回路
３１  チャネル等化部
３２  復号部
【図１】
2013070327.tif 000003
【図２】
2013070327.tif 000004
【図３】
2013070327.tif 000005
【図４】
2013070327.tif 000006
【図５】
2013070327.tif 000007
【図６】
2013070327.tif 000008
【図７】
2013070327.tif 000009
【図８】
2013070327.tif 000010